(57)【要約】【課題】樹脂フィルムラミネート缶への加飾ラベルの効率的な被覆方法を提供する。【解決の手段】被処理金属板の表裏に熱可塑性樹脂をラミネートし、該ラミネート処理金属板の表裏に高温揮発性の潤滑剤を塗布した後に、打ち抜き、少なくとも絞り加工を行って樹脂フィルムラミネート缶とし、該樹脂フィルムラミネート缶へ熱収縮性の加飾ラベルを被せた後、加熱処理することによって、該高温揮発性の潤滑剤を揮発除去しつつ、該熱収縮性の加飾ラベルを缶へ熱収縮被覆させることを特徴とする。【効果】ラミネート処理金属板の表裏に塗布された高温揮発性の潤滑剤を、熱収縮性の加飾ラベルを加熱により被覆するのと同時期に同じ加熱処理により除去することで、高温揮発性の潤滑剤の除去と熱収縮性の加飾ラベルの被覆を同時に行えるため、消費エネルギーや工程数が削減できるため効率的である。【選択図】図２
2009012846.tif 000002
【特許請求の範囲】
【請求項１】
被処理金属板の表裏に熱可塑性樹脂をラミネートし、
該ラミネート処理金属板の表裏に高温揮発性の潤滑剤を塗布した後に、
打ち抜き加工と、少なくとも絞り加工と、を行って樹脂フィルムラミネート缶とし、
該樹脂フィルムラミネート缶へ熱収縮性の加飾ラベルを被せた後、加熱処理することによって、
該高温揮発性の潤滑剤を揮発除去しつつ、
該熱収縮性の加飾ラベルを缶へ熱収縮被覆させることを特徴とする、
樹脂フィルムラミネート缶の加飾ラベル装着方法。
【請求項２】
前記樹脂フィルムラミネート缶は、前記加熱処理の前に、
底部側に再度絞り成形された肩部及び小筒部が形成され、
該小筒部はさらに、側面にネジ形状の加工が施され、先端はトリミング、カーリングされた口頸部であることを特徴とする、請求項１に記載の樹脂フィルムラミネート缶の加飾ラベル装着方法。
【発明の詳細な説明】
【技術分野】
【０００１】
本発明は缶への加飾（画像デザイン）付与方法に関し、特に、熱可塑性樹脂をラミネート後、高温揮発性の潤滑剤を塗布したラミネート処理金属板から成形された缶に熱収縮性の加飾ラベルを被覆する方法に関する。
【背景技術】
【０００２】
缶への加飾（画像デザイン）付加は、これまで様々の方法が採られてきた。例えば、特許文献１では、高温揮発性の潤滑剤を塗布したラミネート処理金属板から成形された樹脂被覆缶の予備成形品に熱を加えてヒートセットすることで、被覆樹脂の応力緩和と高温揮発性潤滑剤の除去を行い、トリミングを経た後に、印刷・焼付を行って、それから縮径（ネックイン）・フランジ成形を行う製造方法が記載されている。
また、特許文献２では、円筒状の缶の予備成形品を成形した段階で印刷塗装を施し、その後、缶の肩部，口頸部，底部を成形する方法について記載され、特許文献３には絞りしごき成形，脱脂化学処理，胴・底境界部保護塗装後に、予め印刷済みの樹脂フィルムを缶体胴部に粘着し、内面と底部を保護塗装後に、胴部上端付近をネックイン・フランジ成形したスチールＤＩ缶の製造方法につい記載されている。
また、特許文献４，５には、缶に熱収縮性の樹脂ラベル（シュリンクラベル）を被覆する機能性加飾方法について記載され、特許文献６〜８には、塗装、または印刷塗装後の缶に熱収縮性の樹脂ラベル（シュリンクラベル）を被覆する方法について記載されている。
これらの方法が開示されている中、缶への加飾（画像デザイン）付加には効率的な方法が求められている。
【特許文献１】特登２５２６７２５号公報
【特許文献２】特開２００４−１６８３４６号公報
【特許文献３】特開２００３−０９５２３１号公報
【特許文献４】実公平０３−０２０１０５号公報
【特許文献５】特開２００３−０４３９２２号公報
【特許文献６】特開２００４−２９１６１７号公報
【特許文献７】特開２００５−２９２１９５号公報
【特許文献８】特開２００６−０４４６５９号公報
【発明の開示】
【発明が解決しようとする課題】
【０００３】
本発明は、缶への加飾（画像デザイン）付加の効率的な方法を提供することを目的とする。
【課題を解決するための手段】
【０００４】
上記目的を達成するために、本発明は、以下の樹脂フィルムラミネート缶の加飾ラベル装着方法を提供する。
すなわち、本発明の樹脂フィルムラミネート缶の加飾ラベル装着方法は、被処理金属板の表裏に熱可塑性樹脂をラミネートし、該ラミネート処理金属板の表裏に高温揮発性の潤滑剤を塗布した後に、打ち抜き加工と、少なくとも絞り加工と、を行って樹脂フィルムラミネート缶とし、該樹脂フィルムラミネート缶へ熱収縮性の加飾ラベルを被せた後、加熱処理することによって、該高温揮発性の潤滑剤を揮発除去しつつ、該熱収縮性の加飾ラベルを缶へ熱収縮被覆させることを特徴とする。
【０００５】
また、前記樹脂フィルムラミネート缶は、前記加熱処理の前に、底部側に再度絞り成形された肩部及び小筒部が形成され、該小筒部はさらに、側面にネジ形状の加工が施されることを特徴とする。
【発明の効果】
【０００６】
ラミネート処理金属板の表裏に塗布された高温揮発性の潤滑剤を、熱収縮性の加飾ラベルを加熱により被覆するのと同時期に同じ加熱処理により除去することで、高温揮発性の潤滑剤の除去と熱収縮性の加飾ラベルの被覆を同時に行えるため、消費エネルギーや工程数が削減できるため効率的である。
【０００７】
また、開口部が縮径された缶や、ネジ付き口頸部を備える缶のような口頸部と胴部との間の筒径の較差をつなげる肩部を有する缶などの加飾の際に、熱収縮性の加飾ラベルを筒径の較差のある部分にあてがうことで、加熱収縮させるだけで筒径の較差のある部分の加飾をラベルにより容易に行うことが出来る。
【発明を実施するための最良の形態】
【０００８】
図１は本発明の第一の実施形態を示す図であり、これに基づいて説明する。
まず、熱可塑性樹脂の金属板へのラミネートを行う。
本発明に於けるラミネート法は公知である方法を用いればよく、表面処理金属板に熱可塑性樹脂フィルムを熱融着法、ドライラミネーション、あるいは溶融状態の熱可塑性樹脂を、Ｔダイ等を用いて直接ラミネートする押出ラミネート法により行われ、特に好ましい方法としては熱融着法が挙げられる。また、被覆樹脂と金属板との間が接着性に乏しい場合はプライマー塗料の他に接着剤等が介在してもよい。
金属板としては特許文献１などで公知である各種表面処理を行った、鋼板や、アルミニウム等の軽金属が使用される。
金属板の被覆に用いる熱可塑性樹脂としては、特許文献１などで公知であるポリエステル、ポリエチレン、ポリプロピレンなどを用いればよい。
接着プライマーとしては、特許文献１などで公知であるエポキシ樹脂とそれに対する硬化剤樹脂との組合せからなる塗料が使用される。
この熱可塑性樹脂をラミネート処理した金属板を用いて樹脂フィルムラミネート缶を成形するため、缶の腐食対策のための塗装工程を省くことが可能になる。
【０００９】
次に、潤滑剤を塗布する。
潤滑剤としては、特許文献１などで公知である流動パラフィン、合成パラフィン、食用油、水添食用油、パーム油、各種天然ワックス、ポリエチレンワックス等を用い、また、種々の潤滑剤を混合して使用してもよい。なお、高温揮発性に富ませるため、高温揮発度が７０％以上を満たすものを選択するのが望ましい。  この潤滑剤を溶融状態で金属板表面にスプレー塗布或いは静電塗布し、１平方メートル辺り２０〜８０ｍｇ塗布する。
【００１０】
次に打抜き・絞り成形を行う。
この工程についても、公知の打抜きカッターと、絞り成形用のポンチとダイスを用いて、打抜き・絞り成形法を用いればよい。
【００１１】
この絞り成形後、熱収縮性の加飾ラベルを挿入してもよいが、所望とする缶の高さや胴径、形状を得るため、図１のように適宜、再絞り、再々絞り、しごき加工等、必要に応じて成形工程を増やした後ラベルを挿入してもよいし、さらに、トリミング、ネッキング（縮径）、ドーミング（底部の上底部・接地部成形）、フランジングの成形工程を増やした後、熱収縮性の加飾ラベルを挿入してもよい。
【００１２】
熱収縮性加飾ラベルの素材としては、例えばポリエチレンテレフタレート、ポリブチレンテレフタレート等のポリエステル及びこれらの共重合物やブレンド物であるポリエステル系樹脂、ポリプロピレン樹脂、ポリエチレン樹脂、ポリスチレン等のスチレン系樹脂、ポリ塩化ビニル等の塩化ビニル系樹脂の単層又は多層フィルムが挙げられる。
このフィルムにグラビア印刷・フレキソ印刷等によって、加飾のための印刷処理を行う。
【００１３】
また、熱収縮性加飾ラベルの挿入性、被覆性（熱収縮後のラベルの固定性）の観点から、６０〜９０℃で加熱したときの、挿入する缶の周方向に相当する方向の収縮率が３〜６０％、缶の軸方向（高さ方向）に相当する方向の収縮率が０〜５％となるよう、適宜特許文献６などで公知である延伸成形を用いて調整することが好ましい。
具体的には、Ｔダイ法、インフレーション法、カレンダー法などで作成したシート状物を延伸ロールやテンターを用いて、１５０〜２７０℃の温度範囲で周方向３〜５倍、軸方向１〜２倍に延伸する。
得られた熱収縮性加飾ラベルの大きさを、挿入する缶の径方向については、缶の周長の１．０１〜１．１０倍の周長にすると挿入性と被覆性が良好となる。また、軸方向については加飾に適した大きさを適宜選定すればよい。
なお、熱収縮性加飾ラベルの厚さは装着時及び熱収縮時の耐熱性、剛性、機械適性、外観を損なわない範囲であれば特に限定されないが、通常３０〜７０μｍ程度である。
なお、熱収縮性加飾ラベルの形態は特許文献４のような予め袋形態に形成されているものでもよいし、特開平０８−１４３０１６に記載されているようにシート状の熱収縮性加飾ラベルを後から容器外周で巻き、端をオーバーラップさせて貼り付け、袋状の形態にしてもよい。
【００１４】
次に、熱収縮性加飾ラベルを挿入した缶を加熱処理し、２００〜２３０℃下で１０秒〜１２０秒間置く。この工程により、高温揮発性の潤滑剤は十分揮発除去されるため、別途洗浄工程により潤滑剤を除去する必要がない。なおかつ、潤滑剤の揮発除去と同時に熱収縮性加飾ラベルを缶に被覆することができるので、缶の加熱工程数が減り、加熱に要するエネルギーを効率的に削減することが可能となる。
【００１５】
後は、適宜、公知の方法を用いてトリミング、（ネッキング、）フランジング等を行い、内容液充填（、缶蓋巻締）前までの缶の成形を行う。
【００１６】
次に、図２に基づいて本発明の第二の実施形態を説明する。
第二の実施形態は、第一の実施形態において、打抜き・絞り成形、乃至、打抜き・絞り・再絞り・再々絞り＋しごき成形により得られた円筒状カップの底部（底板部分）を底部再絞り成形を行って小円筒部を形成し、また同時に、小筒部と缶側胴部とを繋ぐ肩部も併せて形成する。さらに、この小筒部を口頸部として、その側筒部にネジ加工を施し、ネジ付きキャップにより巻締め可能とした。
【００１７】
後は、第一の実施形態同様、ラベルを挿入し、加熱処理を行うことで、潤滑剤の揮発除去とラベルの被覆を行う。なお、本実施例のように口頸部が缶胴に対し大幅に縮径され、口頸部または肩部に熱収縮性加飾ラベルを被覆する際は、熱収縮性加飾ラベルとして、挿入する缶の周方向に相当する方向の収縮率が高いものを適宜選定するとよい。
【００１８】
後は、適宜、公知の方法を用いてトリミング、（開口部ネッキング、）開口部フランジング、口頸部カーリング、開口部蓋巻締等を行い、内容液充填（、ネジ付きキャップ巻締）前までの缶の成形を行う。
【図面の簡単な説明】
【００１９】
【図１】本発明の第一の実施形態に係る製缶工程図である。
【図２】本発明の第二の実施形態に係る製缶工程図である。
【図１】
2009012846.tif 000003
【図２】
2009012846.tif 000004